(57)【要約】本発明では、文字処理プロセスは、ビューを投影するコマンドを受け取った後で、フルスクリーン表示状態に入るステップ；と、前記文字処理プロセスでは、表示装置の解像力によって、ビューのズーム比率を調整するステップ；と、前記文字処理プロセスは、表示装置の解像力とビューのズーム比率によって、文書を複数の投影ページに分けるステップ；と、前記文字処理プロセスは、フルスクリーンで所望の投影ページを表示するステップと、を実行する文書表示方法に関する。本発明の技術解決策は、新しいビューモードを実現する。文書を表示する時、文書を表示装置に適応させて、フルスクリーンで文書の内容を表示するように、自動的に、ズーム比率を調整し、フルスクリーンで文書を表示する時に、文書の中の絵や表などの対象及び文字の写植形式を維持して、ナビゲート及び作図などの便利的な機能を有する。【選択図】図１
2009520221.tif 000002
【特許請求の範囲】
【請求項１】
文字処理プロセスは、ビューを投影するコマンドを受け取った後で、フルスクリーン表示状態に入るステップ１；と
前記文字処理プロセスは、表示装置の解像力によって、ビューのズーム比率を調整するステップ２；と
前記文字処理プロセスは、表示装置の解像力とビューのズーム比率によって、文書を複数の投影ページに分けるステップ３；と
前記文字処理プロセスは、フルスクリーンで所望の投影ページを表示するステップ４を実行することを特徴とする文書表示方法。
【請求項２】
前記ステップ１の後で、前記ステップ２の前に、前記文字処理プロセスはメニューコラム、ツールコラム、スクロールバー及び状態コラムを隠すことを特徴とする請求項1記載の文書表示方法。
【請求項３】
前記ステップ４の後で、前記文字処理プロセスは、ナビゲートサブルーチンを起動し、スクリーンに投影ナビゲート・バーを表示する、ことを特徴とする請求項１に記載の文書表示方法。
【請求項４】
前記ナビゲートサブルーチンには、前進モジュールと後退モジュールが含まれ、前記ナビゲートサブルーチンは、前進或いは後退の外部トリガーコマンドを受け取った後、前進或いは後退モジュールを起動して実行することを特徴とする請求項３に記載の文書表示方法。
【請求項５】
前記ナビゲート子プロセスには、更に作図筆モジュールが含まれ、前記ナビゲートプロセスは、作図筆トリガーコマンドを受け取った後、作図筆モジュールを起動することを特徴とする請求項３又は４に記載の文書表示方法。
【請求項６】
前記文字処理プロセスには、更に、高速ナビゲートモジュールが含まれ、前記ステップ４の後、前記文字処理プロセスは、高速ナビゲートトリガーコマンドを受け取った後、高速ナビゲートサブルーチンを起動し、高速ナビゲートサブルーチンは自動的に投影ページをリンクするメニューコマンドを生成して、高速ナビゲートメニューを表示し、高速ナビゲートサブルーチンは、ホップコマンドを受け取った後、相応する投影ページにホップすることを特徴とする請求項１に記載の文書表示方法。
【請求項７】
前記高速ナビゲートサブルーチンが自動的に投影ページをリンクするメニューコマンドを生成するステップは、具体的に、前記高速ナビゲートサブルーチンが自動的に各投影ページをリンクするメニューコマンドを生成することであることを特徴とする請求項６に記載の文書表示方法。
【請求項８】
前記高速ナビゲートサブルーチンが自動的に投影ページをリンクするメニューコマンドを生成するステップは、具体的に、前記高速ナビゲートサブルーチンが自動的に文書の標題を有する投影ページをリンクするメニューコマンドを生成することを特徴とする請求項６に記載の文書表示方法。
【請求項９】
前記ステップ４の後、前記文字処理プロセスでは、マウスがクリックされたことを受信した後、次の投影ページを表示することを特徴とする請求項１に記載の文書表示方法。
【請求項１０】
前記ステップ４の後、前記文字処理プロセスでは、予め定義されたボタンが押されたことを受信した後、投影ビューモードから引き下がって、投影ビューの前のビューモードに入って文書を表示することを特徴とする請求項１に記載の文書表示方法。
【請求項１１】
前記ステップ４の後で、前記文字処理プロセスでは、マウスローラーのスクロールを受信した後、マウスのローラーのスクロール方向によって、一つの規定された増加量に基づいて、投影ページを表示することを特徴とする請求項１に記載の文書表示方法。
【請求項１２】
前記文字処理プロセスではマウスローラーのスクロールを受信した後、一つの規定された増加量に基づいて投影ページを表示する前に、マウスのローラーのスクロール方向と幅によって、再び文書を分けて、投影ページを再生することを特徴とする請求項１１に記載の文書表示方法。
【発明の詳細な説明】
【技術分野】
【０００１】
本発明は、文書表示方法に関し、特に、フルスクリーンで文書の内容を表示する方法に関する。
【背景技術】
【０００２】
ユーザーの種々の条件で文書を調べ編集する要望を満足するため、従来のワープロソフトは、ユーザーの使用習慣や便利向上のために、一般的に、ページ表示や、アウトライン表示や、普通表示などの表示機能を提供する。報告や講義などの場合、聴衆が内容をはっきり見えるようにするため、文書の内容を拡大してフルスクリーン表示する要望がある。一般的なワープロソフトは、「フルスクリーン」機能を提供するが、この機能を使用する時、以下の問題が存在する。
【０００３】
ワープロソフトがフルスクリーンウインドウに適合するように、自動的にビューのズーム比率及びビューの表示方式を定めることができないので、ユーザーは、表示されている文字を拡大するために、手動で表示比率を調整することが必要となっている。例えば、ファイル表示のビューの方式がページであり、表示比率が１００％である場合に、ユーザーは、フルスクリーン投影をするようにクリックした後でも、表示比率はやはり１００％で、しかも、文書以外のメニュー或いはスクロールバーなどのビュー要素を表示するかもしれない。
【０００４】
上述の問題は、直接的にスライド作成ソフトウエアで報告或いは講義の内容を作成して、スライドで投影することにより解決できる。しかし、人々はワープロソフトに報告或いは講義の内容を作成することを望んでいる。もし、作成した内容をスライドソフトウエアの中に移そうとした場合、コピーやペーストを繰り返さなければならず、写植するのに大量の時間を浪費する。
【発明の開示】
【発明が解決しようとする課題】
【０００５】
本発明は以上の問題点に鑑みてなされたものであり、本発明の主な目的は、文字処理において、自動的にズーム比率を調整し、フルスクリーンで文書の内容を表示し、ナビゲート及び作図などの便利な機能を具備した文書表示方法を提供することである。
【課題を解決するための手段】
【０００６】
前述の目的を達成するために、本発明が提供する文書表示方法は、以下のステップを実行する。
【０００７】
ステップ1、文字処理プロセスは、ビューを投影するコマンドを受け取った後、フルスクリーン表示状態に入る；
ステップ2、前記文字処理プロセスは表示装置の解像力によって、ビューのズーム比率を調整する；
ステップ3、前記文字処理プロセスは、表示装置の解像力とビューのズーム比率に応じて、文書を複数の投影ページに分ける；
ステップ4、前記文字処理プロセスは、投影ページをフルスクリーンで表示する。
【０００８】
フルスクリーン状態に入るとき、前記文字処理プロセスは、メニューコラム、ツールコラム、スクロールバー及び状態コラムを隠す。投影ページを表示する時、前記文字処理プロセスは、ナビゲートサブルーチンを起動し、スクリーンに投影ナビゲートバーを表示する。前記ナビゲートサブルーチンには、前進モジュールと後退モジュールと作図筆モジュールが含まれ、前記ナビゲートサブルーチンは、前進、後退或いは作図筆の外部トリガーコマンドを受け取った後、相応なモジュールを起動して実行する。
【０００９】
前記文字処理プロセスには、更に、高速ナビゲートモジュールが含まれ、前記文字処理プロセスは高速ナビゲートのトリガーコマンドを受け取った後、高速ナビゲートサブルーチンを起動し、高速ナビゲートサブルーチンは自動的に投影ページをリンクするメニューコマンドを生成して、高速ナビゲートメニューを表示し、高速ナビゲートサブルーチンは、ホップコマンドを受け取った後、相応な投影ページにホップする。前記高速ナビゲートサブルーチンは、自動的にそれぞれの投影ページをリンクするメニューコマンドを生成してもよいし、自動的に、文書標題のある投影ページをリンクするメニューコマンドを生成してもよい。
【００１０】
本発明の技術的解決策は、新しいビューモードを実現することである。文書を表示する時、文書を表示装置に適応させて、フルスクリーンで文書の内容を表示するために、自動的にズーム比率を調整する；フルスクリーンで文書を表示する時、文書の中の絵、表などの対象及び文字の写植形式を維持して、ナビゲート及び作図などの便利的な機能を有する。
【００１１】
以下、図面を参照しつつ、本発明について説明する。
【発明を実施するための最良の形態】
【００１２】
本発明は、文書表示方法を提供して、直接的に、スライド投影に類似したビューを提供して、直接的に、フルスクリーン状態に入って、文書の内容を調べることができ、そして、前進、後退及び作図筆などの機能を提供する。
【００１３】
図１を参照すると、図1は本発明に係る文書表示方法のフローチャートである。この方法は、以下のステップを実行する。
【００１４】
ステップ101、文字処理プロセスは、ビュー投影する表示コマンドを受け取った後で、フルスクリーン状態に入る；
ステップ102、文字処理プロセスは、ビューのズーム比率を調整する；ビューの大きさはスクリーンの大きさに適応して、ページの全部の文字の内容を表示することを標準として、異なるスクリーンの解像力に応じて、異なる大きさに調整する；
文字を横書きにする時、ズーム比率＝スクリーンの幅/(紙の幅-左のマージン-右のマージン-製本線の幅)、つまり、ズーム比率＝スクリーンの幅/文字の幅。文字を縦書きにする時、ズーム比率＝スクリーンの高さ/(紙の高さ-上のマージン-下のマージン-製本線の高さ)、つまり：ズーム比率＝スクリーンの高さ/文字の高さ。例えば、表示装置の解像力が、1024*768であり、システムの設定置が小書体96ピクセル/インチであり、1インチ=72ポイントである場合、スクリーンの大きさは、768*576ポイントに転換でき、ページの設定において、紙の大きさがA4であり、左のマージンが90ポイントであり、右のマージンが90ポイントであり、紙の幅が595.35である場合、投影ビューに入った後、ズーム比率は、768/(595.35-(90+90))=1.85と計算され、投影モードに入った後、文字処理プロセスは、スクリーンの大きさによって、自動的に、ズーム投影を185％と調整する。投影する時、スクリーンの両側には、ブランケット‐エリアが現れないので、完全な文書表示ができる。
【００１５】
ステップ103、文字処理プロセスは、表示装置の解像力とビューのズーム比率によって、文書を分け、全部の文書を分けて複数の投影ページとなる；
文書は、概して、複数のページで構成される。ここでのページとは、文書を編集している時、紙のタイプとページの設定によって、自動的に分けられたページを指す。表示装置の解像力によって、文書を複数の投影ページに仕切る。投影ビューの表示比率が大きく、表示する時マージンがなく、且つ投影ページのアスペクト比が表示装置のスクリーンと一致するので、文書を分ける時、文書を全体として捕らえ、文書に対し表示装置の解像力及びビューのズーム比率に応じて分割を行う。従って、一つのページの内容が、複数の投影ページに表示されるかもしれず、一つの投影ページに表示される内容が複数のページに由来するかもしれない。分割過程で、投影ページには原文書中の絵、表などの対象と文字の写植形式をそのまま残す。
【００１６】
ステップ104、文字処理プロセスは、フルスクリーンで各投影ページを表示する。
【００１７】
本実施例は、文書の内容を投影ビューで表示し、自動的に文書の内容を投影ページに仕切ることができるので、ユーザーとしてスライドを作成しなくても、スライドの形式で、文書の内容を投影することができる。投影する時、マージンを表示せず、自動的に表示装置によってズーム比率を調整することができるので、ユーザーとして、手動的にズーム比率を調整して表示内容を拡大する必要がない。
【００１８】
ユーザーが文書を用いて、報告或いは講義をする時、たいてい、文書編集の中のメニュー操作とツールコラムの中の操作は必要としない。さらに、各投影ページが表示装置スクリーンによって仕切られている。このため、投影ページの大きさはスクリーンでの表示に適合している。したがって、フルスクリーン状態に入る時、文字処理プロセスは、メニューコラムと、ツールコラムと、水平及び垂直のスクロールバーと、状態コラムを隠す。各投影ページの中に、メニューや、ツールコラムなどの内容が含まれず、文書の内容だけがあるので、文書を表示する面積をより拡大できる。
【００１９】
本発明の他の実施例において、ユーザーの操作を便利にするために、本実施例は、更に、投影ナビゲートバーを提供し、ユーザーはナビゲートバーのボタンをクリックすると、相応な操作を実行することができる。「ビューの投影」モードの場合、文字処理プロセスは、ナビゲートサブルーチンを起動し、スクリーンに投影ナビゲートバーを表示する。例えば、スクリーンの左下角に、半透明方式で投影ナビゲートバーを表示し、「投影ナビゲートバー」には、「後退」ボタンと「前進」ボタンが提供される。ナビゲートサブルーチンが外部のトリガーコマンドを受け取った後、例えば、ユーザーがあるボタンをクリックした時、ナビゲートサブルーチンは、自動的に相応な機能モジュールを実行する。“後退”ボタンがクリックされた後、自動的に一つ前の投影ページを表示し、“前進”ボタンがクリックされた後、自動的に一つ後の投影ページを表示する。
【００２０】
本発明のその他の実施例の中で、投影ページを表示する時、ユーザーが利便性よく、投影ビューで表示するために、「作図筆」ボタンを表示する。「作図筆」ボタンがクリックされた後、文字処理プロセスは作図サブルーチンを起動して手書作図状態に入る。
【００２１】
投影ビューモードの場合、ビュー投影時、ユーザーが利便性よく、素早く特定の投影ページにホップするために、高速ナビゲート機能も提供することができる。投影ページを表示する時、文字処理プロセスは、高速ナビゲートサブルーチンを起動して、「高速ナビゲート」ボタンを表示し、自動的に各投影ページのリンクコマンドを生成する。「高速ナビゲート」ボタンがクリックされた時、高速ナビゲートメニューが現れ、ユーザーがメニューアイテムをクリックするのを通じて、自動的に標題を有する投影ページにホップできる。
【００２２】
文書としては一般的に複数のチャプターを含む。ユーザーは投影ビューで講義或いは報告をする時、チャプターに直接ホップしたい時もある。文字処理プロセスは自動的に標題によって、それを有する投影ページのリンクコマンドを生成し、“高速ナビゲート”ボタンがクリックされた後、標題アイテムを含む高速ナビゲートメニューが現れる。各標題アイテムは、相応な投影ページに相応にホップするリンクコマンドに対応する。ユーザーがある標題を選択した後、文字処理プロセスは自動的に当該標題を有する投影ページを表示する。
【００２３】
ユーザーの使用の利便性向上のために、文字処理プロセスは更に複数のショートカットボタン機能を含む。ユーザーがキーボード或いはマウスを通じて操作を行う時、文字処理プロセスは、ユーザーの操作によって、対応する操作を実行できる。文字処理プロセスは、マウスがクリックされたことを受信した後、次の投影ページを表示し、例えば、ESCボタンを押すと、投影ビューから引き下がって、以前のビューに戻る。文字処理プロセスは、マウスのローラーのスクロールを受信した後、マウスのローラーのスクロール方向に応じて、ある一つの規定した増加量を用いて投影ページを表示する。投影ページは、動的に作成され、投影ページは、定められた増加量（例えば、1/3インチと設定）移動する。文字処理プロセスは、マウスのローラーのスクロールを受信した後、マウスのスクロール方向及び幅によって、現在の投影ページの後ろの一連の投影ページを再生する。一連の投影ページを生成する時、文字の方向を区分する必要がある。例えば、文字の方向が横向である時、マウスのスクロール方向及び幅を分析することにより、投影ページが後ろに向かって1インチ移動する結果を得た後、1インチ移動に対応する文字の行の数を計算し、当該行を文書の一つの分割点として、当該分割点の前及び後ろの投影ページを生成する。
【００２４】
投影ビューモードの場合に、投影の利便性向上のため、マウスをクリックすると、次のフレームにホップすることを設定し、かつ、より多い内容を表示するために、カーソルと多数のメニュー及びツールバーが見えないようにしているので、投影ビューモードの場合には、文書の内容は、ただ調べることしかできなく、編集はできない。
【００２５】
更に、例えば、背景音楽の提供や、対象動画効果を設けるなどの投影ビューの機能を拡大することもできる。
【００２６】
本発明は、新しいビューを提供し、特に、報告文書の内容や、講義文書の内容などを同期させて表示することに適し、自動的にテキストをスクリーンの大きさに適応させて、文書内の絵と表などの対象と文字の写植形式を保ったまま、投影作図筆や、高速ナビゲートなどの便利な機能を提供する。
【００２７】
最後に説明すべきものは、上記実施例は本発明に係る技術を説明するだけのものであり、本発明に係る技術案を限定するものではない。上記具体的な実施形態を挙げて、本発明に対して説明したが、当業者であれば、本発明の技術形態に対して各種態様の修正或いは置換を行うことができ、本発明の技術形態を逸脱しない精神及び範囲は、本発明の技術的範囲に属することは明白である。
【図面の簡単な説明】
【００２８】
【図１】本発明に係る文書表示方法のフローチャートである。
【図１】
2009520221.tif 000003
【国際調査報告】
2009520221.tif 000004
2009520221.tif 000005
2009520221.tif 000006
2009520221.tif 000007